(57)【要約】【課題】剛体パレットでありながら、その上下寸法を小さくすることができるようにする。【解決手段】パレット１を、剛性を有する平板状のパレット本体２と、軟質素材で形成される筒状のフォークポケット部材３とで構成する。パレット本体２の下面に、凹溝５および斜面６を設け、凹溝５および斜面６にそってフォークポケット部材３を配置する。フォークポケット部材３の両端部に、短取付け紐体８および長取付け紐体９を取付け、これら両取付け紐体８，９をパレット本体２の上面側に巻付ける。そして両取付け紐体８，９の端部を、面状ファスナ８ａ，９ａを用いて連結する。【選択図】　　　　図２
2004075114.tif 000002
【特許請求の範囲】
【請求項１】
剛性を有し、上面側に貨物が載置されるパレット本体と；このパレット本体の下面側に設けられ、パレット本体に取付けられた状態において実質的に筒状をなすフォークポケットを形成するための軟質のフォークポケット部材と；を具備することを特徴とするフレキシブルフォークポケットつきパレット。
【請求項２】
フォークポケットは、上半部がパレット本体で形成されているとともに、下半部がフォークポケット部材で形成されていることを特徴とする請求項１記載のフレキシブルフォークポケットつきパレット。
【請求項３】
パレット本体は、方形板状に形成されていることを特徴とする請求項１または２記載のフレキシブルフォークポケットつきパレット。
【請求項４】
パレット本体は、外縁の周囲枠部と周囲枠部内に配された補強枠部とから枠状に形成され、かつフォークポケットに対応する部位に、フォークポケットの長手方向に延在するフォーク受け材が配されていることを特徴とする請求項１または２記載のフレキシブルフォークポケットつきパレット。
【請求項５】
パレット本体は、周縁部が上方に立上がる浅底の皿状をなしていることを特徴とする請求項３または４記載のフレキシブルフォークポケットつきパレット。
【請求項６】
パレット本体は、少なくともフォークポケット部材に対応する端縁下面が、外方に向かって上り勾配の斜面に形成されていることを特徴とする請求項２，３，４または５記載のフレキシブルフォークポケットつきパレット。
【請求項７】
フォークポケットは、筒状をなすフォークポケット部材で形成されていることを特徴とする請求項１記載のフレキシブルフォークポケットつきパレット。
【請求項８】
パレット本体は、少なくともフォークポケット部材に対応する端縁下面が、外方に向かって上り勾配の斜面に形成され、かつフォークポケット部材の上半部は、この斜面にそって上方に引上げられていることを特徴とする請求項７記載のフレキシブルフォークポケットつきパレット。
【請求項９】
斜面の角度は、１５〜７０度に設定されていることを特徴とする請求項６または８記載のフレキシブルフォークポケットつきパレット。
【請求項１０】
パレット本体は、底部のフォークポケット部材に対応する部位に、フォークポケット部材の少なくとも一部を落とし込むための凹溝を有していることを特徴とする請求項３，４，５，６，７，８または９記載のフレキシブルフォークポケットつきパレット。
【請求項１１】
フォークポケット部材は、着脱機構を介しパレット本体に着脱可能に設けられていることを特徴とする請求項１，２，３，４，５，６，７，８，９または１０記載のフレキシブルフォークポケットつきパレット。
【請求項１２】
着脱機構は、パレット本体の上面側に巻付けられる取付け紐体を備えていることを特徴とする請求項１１記載のフレキシブルフォークポケットつきパレット。
【請求項１３】
取付け紐体は、その両端がフォークポケット部材に連結されて無端状をなし、かつその少なくとも一部に伸縮部を有していることを特徴とする請求項１２記載のフレキシブルフォークポケットつきパレット。
【請求項１４】
取付け紐体は帯状に形成され、かつその上面に難滑処理が施されていることを特徴とする請求項１２または１３記載のフレキシブルフォークポケットつきパレット。
【請求項１５】
着脱機構は、パレット本体に係止されるフックを備えていることを特徴とする請求項１２記載のフレキシブルフォークポケットつきパレット。
【発明の詳細な説明】
【０００１】
【発明の属する技術分野】
本発明は、貨物をフォークリフトを用いて運搬する際に使用されるフレキシブルフォークポケットつきパレットに係り、特に高さ寸法を大幅に小さくすることができるフレキシブルフォークポケットつきパレットに関する。
【０００２】
【従来の技術】
従来から、木材や段ボール等の紙材を用いてパレットを製作し、このパレット上に貨物を載置してフォークリフトで運搬できるようにすることは汎く行なわれている。
【０００３】
【発明が解決しようとする課題】
ところで、従来のパレットは、木製であっても紙製であっても、フォークポケットを空間として確保する構造であるため、必然的にパレットが一定以上の高さを有することになる。このため、貨物を上下に複数段積付ける，いわゆる段積みの場合の積載効率が悪くなり、輸送コストが嵩むという問題がある。
【０００４】
また、従来のパレットは、保管の際にも大きなスペースを要するため、広い保管場所が必要となり、保管効率も悪いという問題がある。
【０００５】
ところで、パレットのフォークポケットは、フォークリフトのフォークを容易に挿入することができる構造であれば、必ずしも空間として確保しておく必要はない。したがって、フォークポケットの部分に改良を加えて、パレット全体の高さを低くすることができれば、海上コンテナ輸送等の積載効率を向上させることができるとともに、保管効率も大幅に向上させることができるものと予想される。
【０００６】
本発明は、係る知見に基づきなされたもので、剛性パレットであるにも拘らず、パレット全体の高さを大幅に低くして、積載効率および保管効率を向上させることができるフレキシブルフォークポケットつきパレットを提供することを目的とする。
【０００７】
本発明の他の目的は、簡単な構造でフォークリフトのフォークのフォークポケットへの挿入性を向上させることができるフレキシブルフォークポケットつきパレットを提供するにある。
【０００８】
本発明の他の目的は、手近な素材を用いてパレット本体を容易に製作することができるフレキシブルフォークポケットつきパレットを提供するにある。
【０００９】
本発明の他の目的は、充分な強度を確保しつつ、パレット本体の軽量化を図ることができ、しかもフォークリフトのフォークの挿入性が損なわれるおそれもないフレキシブルフォークポケットつきパレットを提供するにある。
【００１０】
本発明の他の目的は、特に流動性のある貨物を運搬する際の貨物保持安定性を向上させることができるフレキシブルフォークポケットつきパレットを提供するにある。
【００１１】
本発明の他の目的は、軟質のフォークポケット部材を用いてフォークポケットを形成していても、フォークリフトのフォークのフォークポケットの挿入性をより向上させることができ、貨物を上下に複数段積付ける，いわゆる段積みの場合にも、何等支障なく使用することができるフレキシブルフォークポケットつきパレットを提供するにある。
【００１２】
本発明の他の目的は、どのような素材を用いてパレット本体を構成した場合であっても、フォークリフトのフォークのフォークポケットへの挿入性を安定させることができるフレキシブルフォークポケットつきパレットを提供するにある。
【００１３】
本発明の他の目的は、フォークポケット部材で形成されるフォークポケット入口部分を常時ラッパ状に開いて、フォークの挿入性を向上させることができるフレキシブルフォークポケットつきパレットを提供するにある。
【００１４】
本発明の他の目的は、フォークリフトのフォークのフォークポケットへの挿入性を、より向上させることができるフレキシブルフォークポケットつきパレットを提供するにある。
【００１５】
本発明の他の目的は、パレット本体上に載置される貨物の重量が重い場合であっても、フォークリフトのフォークを容易にフォークポケットに挿入することができ、また保管効率を向上させることができるフレキシブルフォークポケットつきパレットを提供するにある。
【００１６】
本発明の他の目的は、使用目的に合わせてパレット本体の素材を変更することができ、また保管効率を大幅に向上させることができるフレキシブルフォークポケットつきパレットを提供するにある。
【００１７】
本発明の他の目的は、フォークポケット部材のパレット本体への着脱が容易で、作業に熟練を要しないフレキシブルフォークポケットつきパレットを提供するにある。
【００１８】
本発明の他の目的は、フォークポケット部材のパレット本体への着脱性を、より向上させることができるフレキシブルフォークポケットつきパレットを提供するにある。
【００１９】
本発明の他の目的は、パレット本体上に載置される貨物の安定性を向上させることができるフレキシブルフォークポケットつきパレットを提供するにある。
【００２０】
本発明のさらに他の目的は、パレット本体の上面を平坦にすることができるフレキシブルフォークポケットつきパレットを提供するにある。
【００２１】
【課題を解決するための手段】
前記目的を達成するため本発明は、剛性を有し、上面側に貨物が載置されるパレット本体と；このパレット本体の下面側に設けられ、パレット本体に取付けられた状態において実質的に筒状をなすフォークポケットを形成するための軟質のフォークポケット部材と；で構成するようにしたことを特徴とする。そしてこれにより、フォークポケットを空間として確保しておく必要がなくなり、パレット全体の高さを大幅に低くして、積載効率および保管効率を向上させることが可能となる。
【００２２】
本発明はまた、フォークポケットを、上半部をパレット本体で形成するとともに、下半部をフォークポケット部材で形成するようにしたことを特徴とする。そしてこれにより、簡単な構造でフォークリフトのフォークのフォークポケットへの挿入性を向上させることが可能となる。
【００２３】
本発明はまた、パレット本体を、方形板状に形成するようにしたことを特徴とする。そしてこれにより、手近な素材を用いてパレット本体を容易に製作することが可能となる。
【００２４】
本発明はまた、パレット本体を、外縁の周囲枠部と周囲枠部内に配された補強枠部とから枠状に形成し、かつフォークポケットに対応する部位に、フォークポケットの長手方向に延在するフォーク受け材を配するようにしたことを特徴とする。そしてこれにより、充分な強度を確保しつつ、パレット本体の軽量化を図ることが可能となり、しかもパレット本体を枠状に形成しても、フォークリフトのフォークの挿入性が損なわれるおそれがない。
【００２５】
本発明はまた、パレット本体を、周縁部が上方に立上がる浅底の皿状に形成するようにしたことを特徴とする。そしてこれにより、特に流動性のある貨物を運搬する際に、貨物の保持安定性を向上させることが可能となる。
【００２６】
本発明はまた、パレット本体の少なくともフォークポケット部材に対応する端縁下面を、外方に向かって上り勾配の斜面とするようにしたことを特徴とする。そしてこれにより、軟質のフォークポケット部材を用いてフォークポケットを形成していても、フォークリフトのフォークのフォークポケットへの挿入性をより向上させることが可能となり、貨物を上下に複数段積付ける，いわゆる段積みの場合にも、何等支障なく使用することが可能となる。
【００２７】
本発明はまた、フォークポケットを、筒状をなすフォークポケット部材で形成するようにしたことを特徴とする。そしてこれにより、どのような素材を用いてパレット本体を構成した場合であっても、フォークリフトのフォークのフォークポケットへの挿入性を安定させることが可能となる。
【００２８】
本発明はまた、パレット本体の少なくともフォークポケット部材に対応する端縁下面を、外方に向かって上り勾配の斜面とするとともに、フォークポケット部材の上半部を、この斜面にそって上方に引上げるようにしたことを特徴とする。そしてこれにより、フォークポケット部材で形成されるフォークポケット入口部分が、常時ラッパ状に開いていることになり、フォークの挿入性を向上させることが可能となる。
【００２９】
本発明はまた、斜面の角度を、１５〜７０度に設定するようにしたことを特徴とする。そしてこれにより、フォークリフトのフォークのフォークポケットへの挿入性を、より向上させることが可能となる。
【００３０】
本発明はまた、パレット本体底部のフォークポケット部材に対応する部位に、フォークポケット部材の少なくとも一部を落とし込むための凹溝を設けるようにしたことを特徴とする。そしてこれにより、パレット本体上に載置される貨物の重量が重い場合であっても、フォークポケット部材に加わる負荷が軽減あるいは零となり、フォークリフトのフォークを容易にフォークポケットに挿入することが可能となり、また保管効率を向上させることが可能となる。
【００３１】
本発明はまた、フォークポケット部材を、着脱機構を介しパレット本体に着脱可能に設けるようにしたことを特徴とする。そしてこれにより、使用目的に合わせてパレット本体の素材を変更することが可能となり、パレット本体とフォークポケット部材とを分離して保管することで、保管効率を大幅に向上させることが可能となる。
【００３２】
本発明はまた、着脱機構を、パレット本体の上面側に巻付けられる取付け紐体で構成するようにしたことを特徴とする。そしてこれにより、フォークポケット部材のパレット本体への着脱が容易となり、作業に熟練を要しない。
【００３３】
本発明はまた、取付け紐体の両端をフォークポケット部材に連結して無端状とし、かつその少なくとも一部に伸縮部を設けるようにしたことを特徴とする。そしてこれにより、フォークポケット部材のパレット本体への着脱性を、より向上させることが可能となる。
【００３４】
本発明はまた、取付け紐体を帯状に形成し、かつその上面に、難滑処理を施すようにしたことを特徴とする。そしてこれにより、パレット本体上に載置される貨物の安定性を向上させることが可能となる。
【００３５】
本発明はさらに、着脱機構を、パレット本体に係止されるフックで形成するようにしたことを特徴とする。そしてこれにより、パレット本体の上面に取付け紐体等がなくなり、パレット本体の上面を平坦にすることが可能となる。
【００３６】
【発明の実施の形態】
以下、本発明を図面を参照して説明する。
図１ないし図３は、本発明の第１の実施の形態に係るフレキシブルフォークポケットつきパレットを示すもので、このパレット１は、方形板状に形成されたパレット本体２と、このパレット本体２に着脱可能に取付けられた２個のフォークポケット部材３とを備えており、これら両フォークポケット部材３により、パレット本体２の下面に、筒状をなすフォークポケット４が二箇所に形成されるようになっている。
【００３７】
前記パレット本体２は、図４および図５に示すように、プラスチック，木材，金属あるいは段ボール箱等の紙材等、一定の剛性を有する素材を用いて方形板状に形成されており、その下面の各フォークポケット部材３に対応する部位には、後に詳述するフォークポケット部材３を完全に落とし込むことができる深さの凹溝５が設けられ、またパレット本体２端縁下面の各フォークポケット部材３に対応する部位には、外方に向かって上り勾配の斜面６が形成されている。
【００３８】
前記斜面６は、図示しないフォークリフトのフォークを、フォークポケット部材３内に挿入し易くするためのものであるが、その角度θが大きく直角に近い場合には、フォークの挿入が困難となる。このため、斜面６の角度θは、フォークの挿入性のみを考慮すると、小さい方が好ましい。
【００３９】
ところが、斜面６の角度θが小さ過ぎると、パレット本体２の端縁が鋭利に尖った状態となって危険であるとともに、パレット本体２の端縁が損傷し易くなって好ましくない。このため、前記角度θは、１５〜７０度程度とすることが好ましい。
【００４０】
一方、前記フォークポケット部材３は、図２および図６に示すように、例えば合成樹脂製のフィルムやクロス等の軟質素材を用い、パレット本体２とほぼ同一長さの筒状に形成されており、このフォークポケット部材３は、着脱機構７を介してパレット本体２に着脱可能に取付けられている。
【００４１】
前記着脱機構７は、図１，図２および図６に示すように、パレット本体２の上面側に巻付けられる帯状の短取付け紐体８および長取付け紐体９を備えており、これら両取付け紐体８，９の端部には、面状ファスナ８ａ，９ａがそれぞれ設けられている。そして、前記両取付け紐体８，９は、パレット本体２の上面側に巻付けた後に前記両面状ファスナ８ａ，９ａを係合させることにより、一体の紐体となってフォークポケット部材３をパレット本体２に固定できるようになっている。
【００４２】
これら各取付け紐体８，９の基端部は、図２に示すように、フォークポケット部材３両端の上半部分に連結されており、これにより、両取付け紐体８，９を用いて、フォークポケット部材３をパレット本体２に固定した際に、図２および図３に示すように、フォークポケット部材３の開口端がラッパ状に開くようになっている。
【００４３】
また、前記両取付け紐体８，９の上面には、ゴム引き等の難滑処理が施されており、これにより、両取付け紐体８，９がパレット本体２上に載置される貨物の滑り止め材を兼ねるようになっている。なお、前記以外の難滑処理としては、例えばＰＥ等の熱可塑性樹脂を、両取付け紐体８，９の上面にコーティングしたりラミネートする方法等が考えられる。
【００４４】
次に、本実施の形態の作用について説明する。
保管時等の不使用状態においては、パレット本体２とフォークポケット部材３とを分離し、パレット本体２とフォークポケット部材３とを各別に保管する。これにより、狭いスペースでも効率よく保管することができる。また、パレット本体２とフォークポケット部材３とを分離可能な構造とすることで、フォークポケット部材３は、必要最少限の数だけ用意しておけばよいことになり、コストダウンを図ることができる。
【００４５】
すなわち、パレット本体２は、使用目的に応じてその素材を変更しなければならない場合がある。例えば、輸出用貨物の場合に、木製のパレット本体２を用いると、仕向国によっては木材の燻蒸処理を要求されることがあるので好ましくなく、また雨水等で濡れることが予想される場合に、紙製のパレット本体２を用いることは好ましくない。このため、このような場合には、プラスチック製や金属製のパレット本体２を用いなければならないが、このような制約がない場合には、軽量な木製や紙製のパレット本体２を用いた方が有利である。
【００４６】
このように、パレット本体２は、使用目的に応じてその素材を変更する必要があり、したがってパレット本体２は、すべての素材のものを用意しておく必要があるが、フォークポケット部材３は、使用する数だけ用意しておけば足りる。
【００４７】
一方、パレット１の使用に際しては、使用目的に対応する素材のパレット本体２を用意するとともに、各パレット本体２に対して２本のフォークポケット部材３を用意する。そして、パレット本体２下面の各凹溝５内に、各フォークポケット部材３を落とし込むとともに、各取付け紐体８，９を、パレット本体２の上面側に巻付け、面状ファスナ８ａ，９ａを介して両取付け紐体８，９を連結する。これにより、各フォークポケット部材３が、パレット本体２に固定され、パレット１が完成する。
【００４８】
ところで、各フォークポケット部材３は、パレット本体２の凹溝５内に完全に落とし込まれているので、パレット本体２上に載置される貨物が重量物である場合であっても、その荷重はパレット本体２の下面で支持され、フォークポケット部材３に負荷されることがない。このため、フォークリフトのフォークを、極めてスムースにフォークポケット部材３内に挿入することができる。
【００４９】
また、各フォークポケット部材３端部の上半部分は、斜面６にそって上方に引上げられているので、各フォークポケット部材３の開口端は、図２および図３に示すように、ラッパ状に開いた状態となっている。このため、フォークリフトのフォークを、簡単にフォークポケット部材３内に挿入することができる。
【００５０】
なお、前記第１の実施の形態においては、両取付け紐体８，９が帯状をなす場合について説明したが、細紐状に形成してもよく、また固定手段も面状ファスナ８ａ，９ａに限定されるものではなく、例えば両面粘着テープその他のファスナを用いるようにしてもよい。また、パレット本体２の上面を平坦面とする必要がある場合には、パレット本体２の上面にも、両取付け紐体８，９を落とし込むための溝を設けるようにすればよい。
【００５１】
図７は、本発明の第２の実施の形態を示すもので、前記第１の実施の形態における着脱機構７に代え、着脱機構１７を用いるようにしたものである。
【００５２】
すなわち、この着脱機構１７は、図７に示すように、両端部がフォークポケット部材３の長手方向両端部に連結されて無端状をなす取付け紐体１８で構成されており、この取付け紐体１８の一部には伸縮部１８ａが形成され、全体として伸縮バンド構造となっている。
なお、その他の点については、前記第１の実施の形態と同一構成となっており、作用も同一である。
【００５３】
しかして、本実施の形態に係る着脱機構１７の場合には、取付け紐体１８を伸長させた状態にすれば、フォークポケット部材３のパレット本体２への着脱を容易に行なうことができるので、作業に熟練を要しない。
【００５４】
図８は、本発明の第３の実施の形態を示すもので、前記第１の実施の形態における着脱機構７に代え、着脱機構２７を用いるようにしたものである。
【００５５】
すなわち、この着脱機構２７は、図８に示すように、フォークポケット部材３の長手方向両端部に、伸縮性を有する連結バンド２９を介してそれぞれ連結されたフック２８で構成されており、これら各フック２８は、パレット本体２の上面に設けた係止凹部３０に係止されるようになっていてる。
【００５６】
この係止凹部３０は、図８に示すように、フック２８の全体を落とし込むことができる形状に形成されており、これにより、フック２８を係止凹部３０に係止した状態では、パレット本体２の上面を完全な平坦面にすることができるようになっている。
なお、その他の点については、前記第１の実施の形態と同一構成となっており、作用も同一である。
【００５７】
しかして、フック２８で構成される着脱機構２７を用いるようにしているので、パレット本体２の上面に取付け紐体８，９，１８がなくなり、パレット本体２上面のほぼ全域を平坦面とすることができ、係止凹部３０にフック２８の全体を落とし込むことができるようにすることにより、パレット本体２上面の全域を、完全な平坦面とすることができる。
【００５８】
図９および図１０は、本発明の第４の実施の形態を示すもので、前記第１の実施の形態におけるフォークポケット部材３に代え、フォークポケット部材３３を用いるようにしたものである。
【００５９】
すなわち、このフォークポケット部材３３は、図９および図１０に示すように、例えば合成樹脂製のフィルムやクロス等の軟質素材を用い、パレット本体２とほぼ同一長さの帯状に形成されており、このフォークポケット部材３３は、パレット本体２下面の凹溝５に対応する部分に、着脱機構３７を介し着脱可能に取付けられている。そして、フォークポケット４は、上半部が凹溝５で形成されるとともに、下半部がフォークポケット部材３３で形成されるようになっている。
【００６０】
前記着脱機構３７は、図９および図１０に示すように、フォークポケット部材３３の端縁にそって所定間隔で配された止めビス３８で構成されており、これら各止めビス３８を着脱することにより、フォークポケット部材３３をパレット本体２に対し着脱できるようになっている。
なお、その他の点については、前記第１の実施の形態と同一構成となっており、作用も同一である。
【００６１】
しかして、本実施の形態の場合には、フォークポケット４の上半部がパレット本体２で形成されるので、フォークリフトのフォークの滑りがよくなり、フォークのフォークポケット４への挿入性を向上させることができ、また構造の簡素化を図ることもできる。
【００６２】
なお、前記第１ないし第３の各実施の形態においては、筒状をなすフォークポケット部材３が、凹溝５内に完全に落とし込まれる場合について説明したが、凹溝５内にフォークポケット部材３の一部が落とし込まれるようにしてもよい。
【００６３】
また、前記各実施の形態においては、パレット本体２の下面に凹溝５を設ける場合について説明したが、凹溝５は必要に応じ省略するようにしてもよく、また、パレット本体２の両端部のみに凹溝５を設けるようにしてもよい。
【００６４】
また、前記各実施の形態においては、フォークポケット部材３，３３に対応する部分にのみ斜面６を設ける場合について説明したが、パレット本体２端縁の全域に設けるようにしてもよく、また斜面６を必要に応じ省略するようにしてもよい。
【００６５】
図１１および図１２は、本発明の第５の実施の形態を示すもので、前記第３の実施の形態におけるパレット本体２に代え、パレット本体４２を用いるようにしたものである。
【００６６】
すなわち、前記パレット本体４２は、図１１および図１２に示すように、例えば丸棒材あるいは丸パイプ材等を用いて形成される方形の周囲枠部４２ａと、この周囲枠部４２ａ内に配された例えば３本の補強枠部４２とから、全体として枠状に形成されており、かつフォークポケット４に対応する部位には、例えば帯板状をなすフォーク受け材４３がそれぞれ配されている。そして、このフォーク受け材４３を配することにより、パレット本体４２を枠状に形成しても、フォークリフトのフォークの挿入性が損なわれることがないよう考慮されている。
【００６７】
また、前記パレット本体４２は、図１２に示すように、周縁部が斜め外方に立上がる浅底の皿状をなしており、これにより、パレット本体４２上に載置される貨物が流動性のある貨物であっても、その運搬時の貨物保持安定性を向上させることができ、またフォーク受け材４３の両端部には、斜面６が形成されるようになっている。
なお、その他の点については、前記第３の実施の形態と同一構成となっており、　作用も同一である。
【００６８】
しかして、枠状をなすパレット本体４２を用いるようにしているので、充分な強度を確保しつつ、パレット本体４２の軽量化を図ることができる。また、フォークポケット４に対応する部位に、フォーク受け材４３を配するようにしているので、パレット本体４２を枠状に形成しても、フォークリフトのフォークが補強枠部４２ｂ等に引掛かって、フォークポケット４に挿入できないといった不具合がない。
【００６９】
なお、前記第５の実施の形態においては、フォーク受け材４３が帯板状をなす場合について説明したが、複数の棒材をフォークポケット４の長手方向に延設してフォーク受け材４３を構成するようにしてもよい。
【００７０】
また、前記第５の実施の形態においては、パレット本体４２が浅底の皿状をなす場合について説明したが、前記第１ないし第４の実施の形態におけるパレット本体２と同様に平面状に形成するようにしてもよく、逆に前記第１ないし第４の実施の形態におけるパレット本体２を、浅底の皿状に形成するようにしてもよい。
【００７１】
また、前記各実施の形態においては、いずれもフォークポケット部材３，３３が、パレット本体２に対し着脱可能となっている場合について説明したが、着脱不能な構造であっても、所期の効果は期待できる。また、パレット本体２，４２は、その外形が必ずしも方形である必要はなく、例えば円形等であってもよい。
【００７２】
【発明の効果】
以上説明したように本発明は、剛性を有し、上面側に貨物が載置されるパレット本体と；このパレット本体の下面側に設けられ、パレット本体に取付けられた状態において実質的に筒状をなすフォークポケットを形成するための軟質のフォークポケット部材と；で構成するようにしているので、フォークポケットを空間として確保しておく必要がなくなり、パレット全体の高さを大幅に低くして、積載効率および保管効率を向上させることができる。
【００７３】
本発明はまた、フォークポケットを、上半部をパレット本体で形成するとともに、下半部をフォークポケット部材で形成するようにしているので、簡単な構造でフォークリフトのフォークのフォークポケットへの挿入性を向上させることができる。
【００７４】
本発明はまた、パレット本体を、方形板状に形成するようにしているので、手近な素材を用いてパレット本体を容易に製作することができる。
【００７５】
本発明はまた、パレット本体を、外縁の周囲枠部と周囲枠部内に配された補強枠部とから枠状に形成し、かつフォークポケットに対応する部位に、フォークポケットの長手方向に延在するフォーク受け材を配するようにしているので、充分な強度を確保しつつ、パレット本体の軽量化を図ることができ、しかもパレット本体を枠状に形成しても、フォークリフトのフォークの挿入性が損なわれるおそれがない。
【００７６】
本発明はまた、パレット本体を、周縁部が上方に立上がる浅底の皿状に形成するようにしているので、特に流動性のある貨物を運搬する際に、貨物の保持安定性を向上させることができる。
【００７７】
本発明はまた、パレット本体の少なくともフォークポケット部材に対応する端縁下面を、外方に向かって上り勾配の斜面とするようにしているので、軟質のフォークポケット部材を用いてフォークポケットを形成していても、フォークリフトのフォークのフォークポケットへの挿入性をより向上させることができ、貨物を上下に複数段積付ける，いわゆる段積みの場合にも、何等支障なく使用することができる。
【００７８】
本発明はまた、フォークポケットを、筒状をなすフォークポケット部材で形成するようにしているので、どのような素材を用いてパレット本体を構成した場合であっても、フォークリフトのフォークのフォークポケットへの挿入性を安定させることができる。
【００７９】
本発明はまた、パレット本体の少なくともフォークポケット部材に対応する端縁下面を、外方に向かって上り勾配の斜面とするとともに、フォークポケット部材の上半部を、この斜面にそって上方に引上げるようにしているので、フォークポケット部材で形成されるフォークポケット入口部分が、常時ラッパ状に開いていることになり、フォークの挿入性を向上させることができる。
【００８０】
本発明はまた、斜面の角度を、１５〜７０度に設定するようにしているので、フォークリフトのフォークのフォークポケットへの挿入性を、より向上させることができる。
【００８１】
本発明はまた、パレット本体底部のフォークポケット部材に対応する部位に、フォークポケット部材の少なくとも一部を落とし込むための凹溝を設けるようにしているので、パレット本体上に載置される貨物の重量が重い場合であっても、フォークポケット部材に加わる負荷が軽減あるいは零となり、フォークリフトのフォークを容易にフォークポケットに挿入することができ、また保管効率を向上させることができる。
【００８２】
本発明はまた、フォークポケット部材を、着脱機構を介しパレット本体に着脱可能に設けるようにしているので、使用目的に合わせてパレット本体の素材を変更することができ、パレット本体とフォークポケット部材とを分離して保管することで、保管効率を大幅に向上させることができる。
【００８３】
本発明はまた、着脱機構を、パレット本体の上面側に巻付けられる取付け紐体で構成するようにしているので、フォークポケット部材のパレット本体への着脱が容易となり、作業に熟練を要しない。
【００８４】
本発明はまた、取付け紐体の両端をフォークポケット部材に連結して無端状とし、かつその少なくとも一部に伸縮部を設けるようにしているので、フォークポケット部材のパレット本体への着脱性を、より向上させることができる。
【００８５】
本発明はまた、取付け紐体を帯状に形成し、かつその上面に、難滑処理を施すようにしているので、パレット本体上に載置される貨物の安定性を向上させることができる。
【００８６】
本発明はさらに、着脱機構を、パレット本体に係止されるフックで形成するようにしているので、パレット本体の上面に取付け紐体等がなくなり、パレット本体の上面を平坦にすることができる。
【図面の簡単な説明】
【図１】本発明の第１の実施の形態に係るフレキシブルフォークポケットつきパレットを示す平面図である。
【図２】図１のＩＩ−ＩＩ線拡大断面相当図である。
【図３】フォークポケット部材の開口端の状態を示す説明図である。
【図４】図２のパレット本体の構造を示す説明図である。
【図５】図４の側面図である。
【図６】図２の各取付け紐体の構造を示す説明図である。
【図７】本発明の第２の実施の形態を示す説明図である。
【図８】本発明の第３の実施の形態を示す説明図である。
【図９】本発明の第４の実施の形態を示す説明図である。
【図１０】図９のＸ−Ｘ線断面図である。
【図１１】本発明の第４の実施の形態を示す説明図である。
【図１２】図１１のＸＩＩ−ＸＩＩ線拡大断面相当図である。
【符号の説明】
１　パレット
２，４２　パレット本体
３，３３　フォークポケット部材
４　フォークポケット
５　凹溝
６　斜面
７，１７，２７，３７　着脱機構
８　短取付け紐体
９　長取付け紐体
１８　取付け紐体
１８ａ　伸縮部
２８　フック
２９　連結バンド
３０　係止凹部
３８　止めビス
４２ａ　周囲枠部
４２ｂ　補強枠部
４３　フォーク受け材
θ　角度
【図１】
2004075114.tif 000003
【図２】
2004075114.tif 000004
【図３】
2004075114.tif 000005
【図４】
2004075114.tif 000006
【図５】
2004075114.tif 000007
【図６】
2004075114.tif 000008
【図７】
2004075114.tif 000009
【図８】
2004075114.tif 000010
【図９】
2004075114.tif 000011
【図１０】
2004075114.tif 000012
【図１１】
2004075114.tif 000013
【図１２】
2004075114.tif 000014